(57)【要約】【解決手段】  家庭用コンピュータのインクジェットプリンターで印刷された３次元的写真を見るため設計、最適化された一対の光学フィルターに関する。該一対のフィルターは、６１０ｎｍ以上の波長光で６０％より大きい透過率（１０）を有する赤色フィルターと、４８０ｎｍの波長光で６０％より大きい透過率ピーク（１２）を有し、７００ｎｍ以上の波長光で５０％より大きい透過率を有する、藍色フィルターと、を備える。【選択図】      図２
2007529022.tif 000002
【特許請求の範囲】
【請求項１】
インクジェットプリンターで印刷された３次元的写真を見るための光学フィルターであって、
６１０ｎｍ以上の波長光で６０％より大きい透過率を有する、赤色フィルターと、
４８０ｎｍの波長光で６０％より大きい透過率ピークを有し、７００ｎｍ以上の波長光で５０％より大きい透過率を有する、藍色フィルターと、
を備える、光学フィルター。
【請求項２】
前記赤色フィルターは、±５％の誤差の範囲で、下記表に従った特定の波長毎の透過率値を有する、請求項１に記載の光学フィルター。
【表１】
2007529022.tif 000005
【請求項３】
前記藍色フィルターは、±５％の誤差の範囲で、下記表に従った特定の波長毎の透過率値を有する、請求項１に記載の光学フィルター。
【表２】
2007529022.tif 000006
【請求項４】
インクジェットプリンターで印刷された３次元的な写真を見るための３次元メガネであって、
６１０ｎｍ以上の波長光で６０％より大きい透過率を有する、赤色フィルターと、
４８０ｎｍの波長光で６０％より大きい透過率ピークを有し、７００ｎｍ以上の波長光で５０％より大きい透過率を有する、藍色フィルターと、
前記赤色フィルターと前記藍色フィルターとを間隔を隔てた関係で保持するためのメガネフレームと、
を備える、３次元メガネ。
【請求項５】
前記フレームは、前記赤色フィルターを着用者の左目を覆って配置し、前記藍色フィルターを着用者の右目を覆って配置するように設計されている、請求項４に記載の３次元メガネ。
【請求項６】
前記赤色フィルターは、±５％の誤差の範囲で、下記表に従った特定の波長毎の透過率値を有する、請求項４に記載の３次元メガネ。
【表３】
2007529022.tif 000007
【請求項７】
前記藍色フィルターは、±５％の誤差の範囲で、下記表に従った特定の波長毎の透過率値を有する、請求項４に記載の３次元メガネ。
【表４】
2007529022.tif 000008
【発明の詳細な説明】
【技術分野】
【０００１】
本発明は、ユーザーが３次元的画像を見ることを可能にするための色付きレンズに関する。
【背景技術】
【０００２】
３次元立体知覚は数百年に亘って知られてきた。周知された３次元立体知覚の人気のある使用法の例には、１９５０年代及びそれ以降の、ビューマスターリール及び３次元映画が含まれている。しかし、パーソナルコンピュータ及びカラーインクジェットプリンターの到来以来、それらによって製作された画像のために設計された３次元ビューアーが存在しなかった。インクジェットプリンターにより印刷された絵を見ることによって見られる色スペクトルは、標準的な化学写真プロセスを使用して作られた絵を眺めることにより見られる色スペクトルとは異なり得る。赤色／藍色の写真に利用可能な赤色／藍色のビューアーは、明瞭なゴーストの無い画像を生じさせない。
【発明の開示】
【発明が解決しようとする課題】
【０００３】
従って、家庭用コンピュータのインクジェットプリンターで印刷された３次元的写真を見るために設計、最適化されたフィルターが希求されている。
【課題を解決するための手段】
【０００４】
家庭用コンピュータのインクジェットプリンターで印刷された３次元的写真を見るように設計され、最適化された光学フィルターは、６１０ｎｍ以上の波長光で６０％より大きい透過率を有する、赤色フィルターと、４８０ｎｍの波長光で６０％より大きい透過率ピークを有し、７００ｎｍ以上の波長光で５０％より大きい透過率を有する、藍色フィルターと、を備える。
【０００５】
本発明の上記及び他の特徴及び実施例は、図面、説明及び請求の範囲で明らかにされるであろう。
【実施例】
【０００６】
本発明は、家庭用コンピュータのインクジェットプリンターで印刷される３次元写真を見るように設計、最適化された一対の光学フィルターである。この光学フィルターの対は、６１０ｎｍ以上の波長の光で６０％より大きい透過率を有する赤色フィルターと、４８０ｎｍの波長の光で６０％より大きい透過率ピークを有する藍色フィルターと、７００ｎｍ以上の波長の光で５０％より大きい透過率を有する赤色フィルターと、を有する。
【０００７】
これらのフィルターは、立体写真３次元ビューイングの受け入れを顕著に増やす可能性がある明瞭なゴーストの無い鋭い画像を生じさせる。フィルターの特性は、次の情報表によって最もよく記載されている。透過率の値は、±５％である。
【０００８】
赤色レンズの詳細：
光束透過率（Ｔｖ）：      １３．８７８６６５０％
フィルターカテゴリー：    ３
ＭＡＸ Ｔｆ２６０ｎｍ〜３１５ｎｍ：（＜０．１Ｔｖ）０．０００＝→パス
ＭＡＸ Ｔｆ３１５ｎｍ〜３５０ｎｍ：（＜０．５Ｔｖ）０．０００＝→パス
ＭＡＸ ＴＳＵＶＡ３１５ｎｍ〜３８０ｎｍ：（＜０．Ｔｖ）０．０００００＝→パス
Ｍｉｎ Ｔｖ５００ｎｍ〜６５０ｎｍ：（＞０．２Ｔｖ）０．０００＝→フェイル
ＵＶ透過率：
ＴＳＵＶＡ（＜０．０００００＋０．５）：  ０．０００００＝→パス
ＴＳＵＶＢ（＜０．０００００＋０．５）：  ０．０００００＝→パス
青色透過率：
Ｔｓｂ３８０ｎｍ〜５００ｎｍ（＜０．０００００＋０．５）：０．０００００＝→                                                              参照
信号光の認識
赤（Ｑ）因子（＞０．８）：  ５．１０１＝→パス
黄（Ｑ）因子（＞０．８）：  ２．３２０＝→パス
緑（Ｑ）因子（＞０．６）：  ０．１２０＝→フェイル
青（Ｑ）因子（＞０．４）：  ０．７１５＝→パス
【０００９】
【表１】
2007529022.tif 000003
【００１０】
これらのデータは、図１の曲線１０としてプロットされている。
藍色（青色）レンズ詳細：
光束透過率（Ｔｖ）：      ２０．３０３７２２４％
フィルターカテゴリー：    ２
ＭＡＸ Ｔｆ２６０ｎｍ〜３１５ｎｍ：（＜０．１Ｔｖ）０．０００＝→パス
ＭＡＸ Ｔｆ３１５ｎｍ〜３５０ｎｍ：（＜０．５Ｔｖ）０．０００＝→パス
ＭＡＸ ＴＳＵＶＡ３１５ｎｍ〜３８０ｎｍ：（＜０．Ｔｖ）０．０００００＝→パス
Ｍｉｎ Ｔｖ５００ｎｍ〜６５０ｎｍ：（＞０．２Ｔｖ）０．０００＝→フェイル
ＵＶ透過率：
ＴＳＵＶＡ（＜０．０００００＋０．５）：  ０．０００００＝→パス
ＴＳＵＶＢ（＜０．０００００＋０．５）：  ０．０００００＝→パス
青色透過率：
Ｔｓｂ３８０ｎｍ〜５００ｎｍ（＜３１．９８３２３＋０．５）：４０．１８７１＝→                                                              参照
信号光の認識
赤（Ｑ）因子（＞０．８）：  ０．１７５＝→パス
黄（Ｑ）因子（＞０．８）：  ０．３４６＝→パス
緑（Ｑ）因子（＞０．６）：  １．４１３＝→フェイル
青（Ｑ）因子（＞０．４）：  １．９３０＝→パス
【００１１】
【表２】
2007529022.tif 000004
【００１２】
これらのデータは、図２の曲線としてプロットされている。表２及び図２に示されるように、青色／藍色のレンズは、４８０ｎｍの波長光で６０％より大きい透過率ピーク１２を有する。透過率１４は、７００ｎｍ以上の波長光で５０％を超えることも示されている。
【００１３】
本発明の好ましい実施例であると現在のところ考えられる例を説明したが、様々な変形及び変更を、本発明から逸脱することなくなし得ることは当業者には明らかであろう。従って、そのような変形及び変更の全てを本発明の真の精神及び範囲内に属するものとして網羅することが意図されている。
【図面の簡単な説明】
【００１４】
【図１】図１は、赤色レンズのための波長に対してプロットされた透過率のパーセントのグラフである。
【図２】図２は、藍色／青色レンズのための波長に対してプロットされた透過率のパーセントのグラフである。
【図１】
2007529022.tif 000009
【図２】
2007529022.tif 000010
【国際調査報告】
2007529022.tif 000011
2007529022.tif 000012
2007529022.tif 000013